(57)【要約】【課題】  利用者が写真画像に対する編集の操作方法を知らない場合であっても、魅力的で楽しい編集が施された写真画像を提供する。【解決手段】  自動写真撮影装置を、利用者を撮影するための撮影装置と、撮影装置により撮影した写真画像を表示するための表示装置と、写真画像を表示装置に表示させ、利用者により入力される編集操作に応答して、写真画像に対して編集を加える第１編集手段と、第１編集手段による編集が加えられなかった場合に、写真画像に対して所定の編集を加える第２編集手段と、第１又は第２編集手段による編集が加えられた写真画像を利用者に提供する画像提供手段とから構成する。【選択図】  図７
2006345325.tif 000002
【特許請求の範囲】
【請求項１】
利用者を撮影するための撮影装置と、
前記撮影装置により撮影した写真画像を表示するための表示装置と、
前記写真画像を前記表示装置に表示させ、利用者により入力される編集操作に応答して、前記写真画像に対して編集を加える第１編集手段と、
前記第１編集手段による編集が加えられなかった場合に、前記写真画像に対して所定の編集を加える第２編集手段と、
前記第１又は第２編集手段による編集が加えられた前記写真画像を利用者に提供する画像提供手段とを備えることを特徴とする自動写真撮影装置。
【請求項２】
前記第２編集手段による編集が加えられた前記写真画像を前記表示装置に表示させ、前記第２編集手段による編集の取り消しの選択を受け付ける編集確認手段を更に備え、
前記画像提供手段は、前記編集確認手段が前記取り消しの選択を受け付けた場合には前記第２編集手段による編集が加えられていない前記写真画像を利用者に提供することを特徴とする請求項１に記載の自動写真撮影装置。
【請求項３】
前記編集操作の入力に制限時間が設定されており、
前記第２編集手段は、前記制限時間内に前記編集操作が入力されなかった場合に、前記所定の編集を前記写真画像に加える処理を実行することを特徴とする請求項１又は２に記載の自動写真撮影装置。
【請求項４】
前記第２編集手段は、前記所定の編集として、前記写真画像にフレーム画像の貼り付けを行うことを特徴とする請求項１〜３のいずれか一項に記載の自動写真撮影装置。
【請求項５】
ウラワザ操作を記録するウラワザ操作手段と、
利用者による前記ウラワザ操作の入力の有無を検知するウラワザ検知手段と、
利用者の操作に基づいて、前記第１編集手段により行われる編集とは異なる態様の編集を前記写真画像に加えるようにされたウラワザ編集手段を更に備え、
前記ウラワザ検知手段が利用者による前記ウラワザ操作の入力を検知したことを条件に、利用者の操作に基づいて、前記ウラワザ編集手段が前記写真画像に編集を加えることを特徴とする請求項１〜４のいずれか一項に記載の自動写真撮影装置。
【請求項６】
前記第２編集手段は、前記第１編集手段による編集及び前記ウラワザ編集手段による編集の双方が行われなかった場合に、前記所定の編集を前記写真画像に加える処理を実行することを特徴とする請求項１〜５のいずれか一項に記載の自動写真撮影装置。
【請求項７】
前記画像提供手段が前記写真画像を印刷したプリントを提供することを特徴とする請求項１〜４のいずれか一項に記載の自動写真撮影装置。
【発明の詳細な説明】
【技術分野】
【０００１】
本発明は、撮影手段により撮影した写真画像に対する編集を受け付けて、編集された写真画像を印刷物などの形態で利用者に提供する自動写真撮影装置に関する。
【背景技術】
【０００２】
電子カメラなどの撮影装置により撮影した利用者の写真画像を台紙上に印刷した写真プリントを利用者に提供し、或いは、画像データとして利用者に提供する自動写真撮影装置が知られている。
【０００３】
この自動写真撮影装置は、特に若年層を中心とした利用者の間で長期間に渡って人気を博しているが、装置の更なる普及や利用率の向上を図るには、より高い年代の利用者など、従来とは異なる利用者層による装置の利用を促進することが必要とされている。
【０００４】
ところでこの種の自動写真撮影装置では、多くの場合、撮影した写真画像をそのまま利用者に提供するのではなく、利用者の操作に従って様々な編集が加えられた写真画像を提供するようになっており、利用者が自分の好みの編集を加えることで魅力的な写真画像、楽しい写真画像を作成できることがこの種の装置を利用する上での楽しみの一つとなっている。
【０００５】
しかし、編集の短時間化や編集態様の多様化などの必要から、自動写真撮影装置における編集は一種独特の操作によって入力されるようになっており、初めてこの装置を使う利用者などの場合、編集の方法が直ちには理解できない問題がある。
【０００６】
特に、現在使用されている自動写真撮影装置では、装置の回転率をある程度以上に維持する必要から、利用者が編集を入力できる時間に制限が設けられていることが多く、編集の方法が全く判らないまま制限時間をオーバーしてしまう場合もある。
【０００７】
このため、利用者が初めてこの装置を利用するときに二の足を踏んだり、一度は利用したが希望の編集ができなかったことに不満を感じ、次回の利用を手控えるなどの傾向を生じており、そのことが新たな利用者層による装置の利用を促進する上での障害となっている。
【特許文献１】特開２０００−０６９４０４号公報
【発明の開示】
【発明が解決しようとする課題】
【０００８】
本発明は、上記の問題に鑑みて、利用者が初めてでも安心して利用することができる自動写真撮影装置を提供することをその目的とする。
【０００９】
また本発明は、編集の操作方法が判らない利用者にも十分に魅力的で楽しい編集が施された写真画像を提供することができる自動写真撮影装置を提供することをもその目的とする。
【００１０】
ところで、上記自動写真撮影装置では、写真画像を印刷したプリントを利用者に提供するに際して、自動写真撮影装置のメーカーなどのメールアドレスをプリントの端部に印刷し、プリントの提供を受けた利用者から装置を利用したときの感想などのメールを受け付ける一方、メーカー側から利用者にイベントの告知などをメールで送信することで利用者とのコミュニケーションを図り、装置への愛着を高めて貰う努力が行われている。
【００１１】
しかし現実には、利用者側からは感想やメーカーへのメッセージなど多くのメールが寄せられるのに対し、メーカー側からのメールにより利用者を装置の利用に誘引するなどの効果は必ずしも十分に得られていない。
【００１２】
また一般に、クリスマスやお正月、卒業シーズン、ゴールデンウィークなどの特定の期間に自動写真撮影装置の利用率が高くなる傾向があるが、メーカーによっては、そのような期間により多くの利用者が自社製品を利用してくれるように、それぞれの期間中にだけ、それぞれの期間に相応しい特別の図柄を用いた編集ができるようにするサービスを行っている。
【００１３】
しかし、このようなサービスを行うためには、それぞれの期間毎に編集用の画像を入れ替える作業が必要となり、更に、このサービスを行っていることを別途利用者に告知することが必要になるなど煩雑である。
【００１４】
従って、本明細書では、このような第２の課題を解決できる上記発明とは独立の別件発明として、自動写真撮影装置から提供される写真プリントに印刷されるメールアドレスに対して送信される利用者からのメールに対する返信メールを利用して、利用者を装置の利用に強く誘引することができる自動写真撮影システムの発明、或いは、編集用の画像を入れ替える作業を行わなくとも特定の日に、それまでとは異なる態様での編集が可能となる自動写真撮影システムの発明が併せて開示される。
【課題を解決するための手段】
【００１５】
本発明は、上記課題を解決したものであり、利用者を撮影するための撮影装置と、前記撮影装置により撮影した写真画像を表示するための表示装置と、前記写真画像を前記表示装置に表示させ、利用者により入力される編集操作に応答して、前記写真画像に対して編集を加える第１編集手段と、前記第１編集手段による編集が加えられなかった場合に、前記写真画像に対して所定の編集を加える第２編集手段と、前記第１又は第２編集手段による編集が加えられた前記写真画像を利用者に提供する画像提供手段とを備えることを特徴とする自動写真撮影装置である。
【００１６】
本発明の自動写真撮影装置は、前記第２編集手段による編集が加えられた前記写真画像を前記表示装置に表示させ、前記第２編集手段による編集の取り消しの選択を受け付ける編集確認手段を更に備え、前記画像提供手段は、前記編集確認手段が前記取り消しの選択を受け付けた場合には前記第２編集手段による編集が加えられていない前記写真画像を利用者に提供するように構成することが好ましい。
【００１７】
本発明の自動写真撮影装置は、前記編集操作の入力に制限時間を設定し、前記第２編集手段を、前記制限時間内に前記編集操作が入力されなかった場合に、前記所定の編集を加えるように構成することが好ましい。
【００１８】
本発明における第２編集手段は、前記所定の編集として、前記写真画像にフレーム画像の貼り付けを行うように構成することが好ましい。
【００１９】
本発明の自動写真撮影装置は、ウラワザ操作を記録するウラワザ操作手段と、利用者による前記ウラワザ操作の入力の有無を検知するウラワザ検知手段と、利用者の操作に基づいて、前記第１編集手段により行われる編集とは異なる態様の編集を前記写真画像に加えるようにされたウラワザ編集手段を更に備えるものとし、前記ウラワザ検知手段を利用者による前記ウラワザ操作の入力を検知したことを条件に、利用者の操作に基づいて、前記ウラワザ編集手段が前記写真画像に編集を加えるよう構成することが好ましい。
【００２０】
発明における第２編集手段は、前記第１編集手段による編集及び前記ウラワザ編集手段による編集の双方が行われなかった場合に、前記所定の編集を前記写真画像に加える処理を実行するよう構成することが好ましい。
【００２１】
本発明における画像提供手段が前記写真画像は、印刷したプリントを提供するよう構成することが好ましい。
【００２２】
また、上記別件発明は、
ヒントメッセージを記録するヒント記録手段と、
メールの送信スケジュールを記録するスケジュール記録手段と、
前記スケジュールに従って前記ヒットメッセージが記載されたメールの送信を行うメール送信手段とを備える管理装置と、
利用者の写真を撮影するための撮影手段と、
利用者により入力される編集操作に基づいて、前記撮影手段により撮影された写真画像に対する編集処理を実行する編集手段と、
利用者により入力される編集操作に基づいて、前記編集手段とは異なる態様で前記写真画像に対する編集処理を実行するウラワザ編集手段と、
前記編集手段及び／又は前記ウラワザ編集手段による編集が加えられた写真画像を利用者に提供する画像提供手段とを備える自動写真撮影装置とを備える自動写真撮影システムであって、
前記ヒントメッセージに対応付けられた操作が前記自動写真撮影装置に入力されたことを条件に前記ウラワザ編集手段による編集処理が実行されることを特徴とする自動写真撮影システムである。
【発明の効果】
【００２３】
請求項１の発明によれば、利用者が写真画像に対する編集を行うことができない場合であっても、第２編集手段による編集が加えられた魅力的な写真画像、楽しい写真画像が提供されることになるため、初めて装置を利用する利用者や編集をうまく入力できない利用者であっても安心して利用することが可能な自動写真撮影装置が提供される。
【００２４】
請求項２の発明によれば、利用者が第２編集手段により加えられた編集を気に入らない場合には、この編集が加えられていない写真画像の提供を受けることが可能となる。
【００２５】
また例えば、利用者が複数の写真画像に対する編集操作を行うようにされた自動写真撮影装置においては、利用者が制限時間内に全ての写真画像の編集を入力できない場合が生じ得るが、請求項３の発明では、編集を入力できなかった写真画像について第２編集手段による編集が加えられた写真画像を提供することが可能となる。
【００２６】
請求項４の発明では、第２編集手段が写真画像にフレーム画像の貼り付けを行うようにされているため、多くの場合に違和感のない編集が加えられた写真画像を提供することが可能になる。
【００２７】
請求項５の発明では、利用者によるウラワザ操作の入力があった場合に、第１編集手段による編集とは異なる態様の編集を行うことが可能となるために、何らかの方法でウラワザ操作を利用者に告知することで、利用者を装置の利用に誘引することが可能となる。
【００２８】
請求項６の発明では、第１〜第５の発明における第２編集手段による編集が加えられた写真画像を印刷物の形態で提供することが可能となる。
【００２９】
また上記別件発明によれば、利用者は、ヒントメッセージが記載されたメール記載されたメールを受信することによって初めてウラワザ編集手段による編集処理が施された写真画像を入手することが可能となるため、ヒントメッセージを記載したメールを利用者に送信することによって利用者を自動写真撮影装置の利用に誘引することが可能となる。
【発明を実施するための最良の形態】
【００３０】
以下、本発明の実施の形態を、添付図面を参照して説明する。
【００３１】
図１は、本発明の自動写真撮影装置２を使用した例示的な自動写真撮影システム１の構成を示す概念説明図である。
【００３２】
図示されるように、この自動写真撮影システム１では、自動写真撮影装置２、自動写真撮影装置２のメーカーなどが所有する管理コンピュータ３、利用者が所有する携帯電話やパソコンなどの利用者端末４、及び、管理コンピュータ３と利用者端末４の間でのメールの送受信を行うための公衆電話回線やインターネットなどの通信網５から構成されている。
【００３３】
図２は本発明の一実施形態に係る自動写真撮影装置２の構成を示す斜視説明図であり、図３、４はそれぞれ、この自動写真撮影装置２の撮影ブース３０内から見た第１筐体１０の正面図及びジャングルジム構造体４３の正面図である。
【００３４】
図示されるように、本発明の自動写真撮影装置２は、主として第１筐体１０、第２筐体２０及び撮影ブース３０から構成されている。
【００３５】
第１筺体１０には、利用者を撮影するためのＣＣＤカメラ１１と、当該ＣＣＤカメラ１１により撮影した映像をリアルタイムで表示する液晶モニタ１２が設けられ、その下方には、利用者に対する案内を表示し、或いは、利用者からの操作入力を受け付けるためのタッチパネル式モニタ１３が設けられている。
【００３６】
タッチパネル式モニタ１３の下方には、横方向に延びる２本の横棒部材１４が突設されており、利用者は横棒部材１４に片足を掛けたり、或いは、両足を乗せて立ち上がるなど、この横棒部材１４を用いることで面白いポーズで写真撮影を行うことが可能である。
【００３７】
また第１筐体１０の前面には、乳半のボードを介して利用者に照明光を照射するための照明装置１５ａ〜１５ｄ、音楽や効果音などを出力させるためのスピーカー１６及び利用料金を受け入れるためのコイン投入口１７が設けられている。
【００３８】
第２筐体２０は、略直方体状の形状を有しており、第１筐体１０の背面側に配置されている。なお第２筐体２０は、第１筐体とは物理的に分離した個別の筐体であっても構わないが、第１筐体１０と第２筐体２０が単一の筐体を構成していても構わない。
【００３９】
この第２筐体２０の両側面には、ＣＣＤカメラ１１により撮影した写真画像に対する編集や写真画像の印刷レイアウトの指定の操作を行うための編集スペースが形成されている。即ち、第２筐体２０の一側面２１ａには、タッチパネル式モニタ２３と２本のタッチペン２４のセットが設置された編集スペース２２ａが形成され、この反対側の側面２１ｂにも同様の、タッチパネル式モニタ２３と２本のタッチペン２４のセットが設置された編集スペース２２ｂが形成され、２組の利用者が同時に編集などの操作を行い得るようになっている。
【００４０】
また、第１筐体１０の上部から第２筐体２０を取り囲むようにフレーム２５が張り出しており、このフレーム２５にカーテンなどを吊下することで、上記の編集スペース２２ａ、２２ｂを外部から区画することができる。
【００４１】
第２筐体２０の内部にはプリンター５８（図６）が配置されており、上記編集が加えられた写真画像がプリンター５８により印刷されて第２筐体２０の背部に設けられた写真排出口２６から利用者に提供される。
【００４２】
撮影ブース３０は、第１筐体１０、側壁３１ａ、３１ｂ及び第１筐体１０に対向する位置に配置されたジャングルジム構造体４３に囲われた空間であり、撮影ブース３０への外部光の入射を制限するために、撮影ブース３０の天井部３２には遮光性の布又は板材が張り渡され、両側壁３１ａ、３１ｂの上部からジャングルジム構造体４３を取り囲むように張り出したフレーム３３には遮光性のカーテンを吊下できるようになっている。なお、両側壁３１とジャングルジム構造体４３との間隙が撮影ブース３０への出入口３４とされており、利用者はフレーム３３から吊下されるカーテンをめくって撮影ブース３０への入退室を行うようになっている。
【００４３】
また撮影ブース３０の天井部３２の第１筐体１０とジャングルジム構造体４３のほぼ中間の位置には、ロール状に巻かれたそれぞれ異なる色彩や模様などが施された複数種類のカーテンを収容するカーテンボックス３５が配置されており、カーテン制御装置５４（図６）からの制御に従ってこれらのカーテンのいずれかを巻き戻してＣＣＤカメラ１１の撮影視野内に展開し、或いは、これを巻き取って収容することで、撮影の毎に背景として使用するカーテンを変更することが可能となっている。
【００４４】
撮影ブース３０の天井部３２には、このカーテンボックス３５から張り出すように取り付けられた照明装置３６及びジャングルジム構造体４３の上部から張り出すように取り付けられた照明装置３７が載置されている。この照明装置３６は主として撮影ブース３０内のカーテンボックス３５から第１筐体１０にかけての部分（以下、「撮影ブース３０の前部」という）にフラッシュ光を照射し、照明装置３７は主として撮影ブース３０内のカーテンボックス３５からジャングルジム構造体４３にかけての部分（以下、「撮影ブース３０の後部」という）にフラッシュ光を照射する。
【００４５】
撮影ブース３０の天井部３２には更に、第１筐体１０の上部からカーテンボックス３５に差し渡された２本の縦棒部材３８とこの縦棒部材３８間に差し渡された横棒部材３９が取り付けられており、利用者はこの縦棒部材３８、横棒部材３９に雲梯の要領でぶら下がるなど、縦棒部材３８、横棒部材３９を用いることで面白いポーズで写真撮影を行うことが可能である。
【００４６】
両側壁３１ａ、３１ｂの第１筐体１０とジャングルジム構造体４３とのほぼ中間の位置（カーテンボックス３５が配置されている位置とほぼ同じ位置）には照明装置４０が配置されており、照明装置４０内に配置される発光部材からのフラッシュ光が、発光窓４２ａ、４２ｂから照射されて、それぞれ撮影ブース３０の前部及び後部が照明されるようになっている。
【００４７】
ジャングルジム構造体４３は、鉛直に立設された３本の支柱４４ａ〜４４ｃと、この３本の支柱間に差し渡された複数の横棒部材４５ａ〜４５ｄとから構成されている。この横棒部材４５ａ〜４５ｄは、床面からそれぞれ異なる高さにおいて支柱４４ａ〜４４ｃに取り付けられており、利用者は、横棒部材４５ｂに座ったり、横棒部材４５ｃ、４５ｄにぶら下がったり、横棒部材４５ｃ、４５ｄに掴まって横棒部材４５ｂの上に立ち上がったりなどの面白いポーズで写真撮影を行うことができる。
【００４８】
またこのジャングルジム構造体４３では、横棒部材４５ａ〜４５ｄが撮影ブース３０の中央に向けて張り出した構造となっているために、ジャングルジム構造体４３周辺の空間の立体的な利用が可能であり、例えば、図５に示すような態様で、従来の自動写真撮影装置では不可能であったような多人数での撮影を行うことが可能であり、しかも、それぞれの利用者が面白味のあるポーズを取って写真撮影を行うことが可能である。
【００４９】
図６は、自動写真撮影装置２のシステム構成を示す説明図である。
【００５０】
図中、符号４６で示されるパーソナルコンピュータは、バス４７により相互に接続されるＣＰＵ４８、ＲＯＭ４９、ＲＡＭ５０、インターフェース（Ｉ／Ｆ）５１を備えている。インターフェース５１にはハードディスク５２、ＣＤ−ＲＯＭドライブ５３とともに、後述の各種外部機器が接続されている。
【００５１】
ハードディスク５２には、自動写真撮影装置２の全体の動作、処理等を制御するためのプログラムや、タッチパネル式モニタ１３、２３、スピーカー１６から映像、音響を再生するための映像データ、音響データの他、後述の編集セッション・レイアウトセッションにおいて使用される各種の編集用画像、レイアウトパターンなどが記憶される。
【００５２】
ＲＯＭ４９は、パーソナルコンピュータを制御するための基本的なプログラムを格納している。
【００５３】
ＲＡＭ５０は、編集対象の画像や、利用者が入力した編集の内容などの作業データを一時的に記憶するものである。
【００５４】
インターフェース５１には、更にＣＣＤカメラ１１、液晶モニタ１２、タッチパネル式モニタ１３、２３、タッチペン２４、カーテンボックス３５のカーテンの展開、収納を制御するカーテン制御装置５４、照明装置１５ａ〜１５ｄ、３６、３７、４０を制御する照明制御装置５５、スピーカー１６に接続された音響制御装置５６、コイン処理装置５７、プリンター５８などの外部機器が接続されており、ＣＰＵ４８とこれら各機器との間における信号の授受が可能とされている。
【００５５】
図７は、自動写真撮影装置２、管理コンピュータ３、利用者端末４及び通信網５から構成される自動写真撮影システム１の機能構成を示す説明図である。
【００５６】
図示されるように、管理コンピュータ３は、メール送受信部６１とメール記録部６２の機能ブロックから構成されている。
【００５７】
メール記録部６２はメール送受信部６１が受信したメールの送信元メールアドレスを記録するアドレス記録部６２ａ、後述のウラワザ操作記録部７６ｄに記録される複数のキーワードのそれぞれに対応して設定された複数のヒントメッセージを記録するヒント記録部６２ｂ及び個々のヒントメッセージの送信時期を記録するスケジュール部６２ｃを有しており、メール送受信部６１は、利用者端末４からメールを受信する毎に利用者端末４のメールアドレスをアドレス記録部６２ａに蓄積し、スケジュール部６２ｃに記録される期日毎に、蓄積された各メールアドレスに向けてヒント記録部６２ｂに記録されるヒントメッセージを記載したメールを送信する。
【００５８】
利用者端末４はメール送受信部６３を備えており、自動写真撮影装置２から払い出される写真プリントの端部などに印刷されている管理コンピュータ３のメールアドレスに宛て、装置を利用したときの感想やメーカーへのリクエストなどを記載したメールを送信することができ、また、管理コンピュータ３から上記ヒントメッセージが記載されたメールを受信することができる。
【００５９】
一方、自動写真撮影装置２は、写真撮影部７１、第１編集部７２ａ、ウラワザ編集部７２ｂ、第２編集部７２ｃ、ウラワザ検知部７３、編集判定部７４、印刷画像選択部７５、第１編集画像記録部７６ａ、ウラワザ画像記録部７６ｂ、第２編集画像記録部７６ｃ、ウラワザ操作記録部７６ｄ、フラグ記録部７６ｅ、レイアウト部７７、印刷部７８の機能ブロックを有している。
【００６０】
写真撮影部７１は、コイン処理装置５７から所定の利用料金の投入が行われた場合に起動し、ＣＣＤカメラ１１、液晶モニタ１２、カーテン制御装置５４、照明制御装置５５、音響制御装置５６などを駆動して様々な撮影雰囲気の下で１又は複数回数の写真撮影を実行し、撮影した各写真画像をＲＡＭ５０に記録する。
【００６１】
第１編集部７２ａは、写真撮影部７１による写真撮影の終了後に起動し、編集スペース２２ａ又は２２ｂのタッチパネル式モニタ２３に図８に示す編集画面８０を表示させ、所定の制限時間内で、ＲＡＭ５０に記録された写真撮影に対する編集操作を利用者から受け付ける。
【００６２】
図示されるように、編集画面８０には、写真撮影部７１により撮影された複数の写真画像を縮小サイズで表示するサムネイル表示部８１と、サムネイル表示部８１から左右それぞれのタッチペン２４により選択された写真画像を拡大して表示する２つの写真表示部８２が設けられている。
【００６３】
またサムネイル表示部８１の下部には、「文字」、「スタンプ」、「フレーム」、「線画」の文字が表記されたアイコン８３ａ〜８３ｄが配列されている。これらのアイコンは、それぞれ、文字画像、スタンプ画像、フレーム画像の貼り付け及び線画描画を行うためのアイコンであり、左右いずれかのタッチペン２４でこれらのアイコン８３ａ〜８３ｄをタッチすることで、それぞれ左右のリソースウィンド８４に各アイコン８３ａ〜８３ｄに対応して設定された複数の機能ボタンが表示され、これをタッチペン２４で選択してから写真表示部８２の写真画像にタッチすることで、その写真画像に対する各機能ボタンに応じた編集が加えられるようになっている。
【００６４】
なお、「線画」のアイコン８３ｄの下部にもアイコン８３ｅが配置されているが、このアイコンは後述のウラワザ編集を入力するためのウラワザアイコンであり、ウラワザ検知部７３が所定のキーワードの入力を検知するまでは空アイコンの状態で、タッチペン２４で操作しても反応しないようになっている。
【００６５】
図９（ａ）は、リソースウィンド８４の構成を示す説明図であり、図９（ｂ）は「文字」のアイコン８３ａが選択されたときの例示的なリソースウィンド８４の表示を示す説明図である。
【００６６】
図９（ａ）に示されるように、リソースウィンド８４は複数のタブ８４ｔを表示できるタブ表示部８４Ｔと、複数の機能ボタン８４ｂを表示できるボタン表示部８４Ｂから構成されており、ボタン表示部８４Ｂには、各アイコン８３ａ〜８３ｄに応じて、文字画像、スタンプ画像又はフレーム画像をあしらった機能ボタン８４ｂが配列され、タブ表示部８４Ｔからいずれかのタブ８４ｔを選択することで、ボタン表示部８４Ｂに表示される機能ボタン８４ｂを入れ替えることができるようになっている。
【００６７】
例えば、図９（ｂ）に示す「文字」のアイコン８３ａが選択されたときのリソースウィンド８４では、ボタン表示部８４Ｂに様々な種類の文字画像をあしらった機能ボタン８４ｂが配列される。またタブ表示部８４Ｔのタブ８４ｔを選択することで、ボタン表示部８４Ｂに表示される機能ボタン８４ｂのフォントや文字種を変更することができる。
【００６８】
そして、タッチペン２４で所望の機能ボタン８４ｂをタッチしてから写真表示部８２の写真画像にタッチすると、写真画像のタッチした部分にその機能ボタン８４ｂの文字画像を合成させる編集が実行される。
【００６９】
また、編集画面８０の左右上方には、入力された全ての編集入力を取り消すための全部消しボタン８５ａ、それぞれ異なる広さの領域における編集を消去するための複数の部分消しボタン８５ｂ、既に入力した編集入力を一段階づつ取り消すための戻るボタン８６ａ、戻るボタン８６ａにより取り消した編集入力を一段階づつ再現させる進むボタン８６ｂ、写真画像に合成する文字画像やスタンプ画像、或いは線画のサイズを指定するためのサイズボタン８７が配置され、編集画面８０の中央には、利用者が編集を行うことができる残り時間の表示部８８及び編集入力を途中で終了させるための終了ボタン８９が配置されている。
【００７０】
第１編集部７２ａは、上記の編集画面８０において、サムネイル表示部８１から逐次選択されて写真表示部８２に表示される各写真画像に対して、各種機能ボタン８４ｂや編集ボタン８５〜８７などにより指定される編集を加える処理を実行する。
【００７１】
ウラワザ検知部７３は、編集セッション中において、ウラワザ操作記録部７６ｄに記録される複数のキーワードのうち、いずれかのキーワードが入力されたか否かの検知を行い、いずれかのキーワードの入力を検知した場合には、フラグ記録部７６ｅにおける検知したキーワードに対応するウラワザフラグをオンにセットする。
【００７２】
なお、本実施形態におけるキーワードの入力は、編集画面８０において「文字」のアイコン８３ａを選択したときのリソースウィンド８４（図９（ｂ））において、キーワードを構成するスペルに対応する文字画像の機能ボタン８４ｂを連続して操作することで入力できるようになっている。
【００７３】
ウラワザ編集部７２ｂは、フラグ記録部７６ｅにおけるいずれかのウラワザフラグがオンにセットされていることを条件に起動し、ウラワザの入力が可能になったことを利用者に知らせるために、編集画面８０におけるウラワザアイコン８３ｅ内に「ウラワザ」の文字を表示し、その後のウラワザアイコン８３ｅに対する操作に応答して、ウラワザ画像記録部７６ｂに記録される各種画像（スタンプ画像や文字画像、メッセージ画像など）を各写真画像に合成する編集を実行する。
【００７４】
ここで、ウラワザ画像記録部７６ｂに記録される画像のうち、ウラワザ編集部７２ｂによる写真画像への合成が可能となる画像は、ウラワザ検知部７３において検知したキーワード毎に定められており、上記スケジュール部６２ｃに記録されるメール送信期日（Ａ）、各メール送信期日に対応してヒント記録部６２ｂに記録されるヒントメッセージ（Ｂ）、各ヒントメッセージに対応してウラワザ操作記録部７６ｄに記録されるキーワード（Ｃ）、並びに、ウラワザ検知部７３が各キーワードを検知した場合にウラワザ編集部７２ｂによる編集が可能となる画像（Ｄ）の対応関係は、例えば、下表１のようになっている。
【表１】
2006345325.tif 000003
【００７５】
従って、表１のＤ欄に示される各画像を用いた編集は、Ａ欄に示す期日に送信されるメールに記載されるＢ欄のヒントメッセージを受信した利用者が、Ｃ欄のキーワードを入力することで初めて行うことが可能となる。
【００７６】
このため、クリスマスやお正月、卒業シーズンなどに合わせて準備した特別の画像をウラワザ画像記録部７６ｂに記録しておき、それぞれの期間に合わせたスケジュールでそれぞれの画像の使用を可能にするためのヒントメッセージを利用者に送信することで、利用者を自動写真撮影装置２の利用に誘引することができる。
【００７７】
図１０（ａ）は、表１における「santa」のキーワードを入力した後にウラワザアイコン８３ｅを操作した場合のリソースウィンド８４を示す説明図であり、図１０（ｂ）は、表１における「tatudoshi」のキーワードを入力した後にウラワザアイコン８３ｅを操作した場合のリソースウィンド８４を示す説明図である。
【００７８】
図１０（ａ）に示されるリソースウィンド８４では、タブ表示部８４Ｔにおけるタブ８４ｔの１つ（８４ｔ１）中に「クリスマス」の文字が表示されるとともに、ボタン表示部８４Ｂに表１Ｄ欄の画像１〜画像４に対応する機能ボタン８４ｂ１〜８４ｂ４が表示されており、タッチペン２４で機能ボタン８４ｂ１〜８４ｂ４にタッチしてから写真表示部８２の写真画像にタッチすることで、画像１〜画像４を写真画像に合成する編集を行うことが可能にされている。
【００７９】
同様に、図１０（ｂ）に示されるリソースウィンド８４では、タブ表示部８４Ｔにおけるタブ８４ｔの１つ（８４ｔ２）中に「お正月」の文字が表示されるとともに、ボタン表示部８４Ｂに表１Ｄ欄の画像５〜画像８に対応する機能ボタン８４ｂ５〜８４ｂ８が表示されており、タッチペン２４で機能ボタン８４ｂ５〜８４ｂ８にタッチしてから写真表示部８２の写真画像にタッチすることで、画像５〜画像８を写真画像に合成する編集を行うことが可能にされている。
【００８０】
なお、図１０（ａ）、（ｂ）のタブ表示部８４Ｔでは、それぞれ、タブ８４ｔ１及び８４ｔ２のみがアクティブであり、空白のタブはタッチペン２４で操作しても反応しないようになっているが、ウラワザ検知部７３が複数のキーワードの入力を検知した場合には、各キーワードに対応して複数のタブがアクティブとなり、それぞれのキーワードに対応する表１Ｄ欄の各画像を用いた編集が可能となる。
【００８１】
編集判定部７４は、上記制限時間が満了したとき、又は終わりボタン８８が操作されたときに起動し、各写真画像について第１編集部７２ａ又はウラワザ編集部７２ｂによる何らかの編集が行われたか否かの判定を行うものであり、いずれかの写真画像について何らの編集操作も行われていないと判断した場合には、所定の信号を第２編集部７２ｃ及び編集確認部７５ａに送信する。
【００８２】
第２編集部７２ｃは、編集判定部７４からの上記所定の信号を受信した場合に起動し、第２編集画像記録部７６ｃに記録される例えば２４種類のフレーム画像から所定の順序に従って選択されるフレーム画像を、編集操作が行われなかった各写真画像に合成する処理を実行する。
【００８３】
印刷画像選択部７５は、上記制限時間が満了したとき、又は終わりボタン８８が操作されたときに起動し、主要写真選択画面９０及びおまけ写真選択画面９５をタッチパネル式モニタ２３に表示し、所定の制限時間内で印刷部７８における印刷に使用する主要写真画像及びおまけ写真画像の選択を受け付ける。
【００８４】
また印刷画像選択部７５は、編集確認部７５ａを備えており、編集判定部７４からの上記所定の信号がこの編集確認部７５ａに送信されている場合には、編集確認部７５ａも同時に動作し、第２編集部７２ｃにより加えられた編集の取り消しの選択を利用者から受け付ける。
【００８５】
図１１（ａ）、（ｂ）は、印刷画像選択部７５がタッチパネル式モニタ２３に表示させる例示的な主要写真選択画面９０を示している。
【００８６】
図示されるように、主要写真選択画面９０には各編集部７２ａ〜７２ｃによる編集が加えられた写真画像９１ａ〜９１ｆが表示されており、写真画像９１ａ〜９１ｆをタッチペン２４でタッチすることで印刷に使用する所定枚数（例えば５枚）を上限とする主要写真画像が選択され、選択された写真画像（図示の例では写真画像９１ａ）には「ｃｈｏｉｃｅ」の文字が表示されるようになっている。
【００８７】
また図１１（ａ）の例では、写真画像９１ａについてのみ第１編集部７２ａにより文字画像Ｌ、スタンプ画像Ｓ、フレーム画像Ｆ１を合成する編集が加えられており、他の写真画像９１ｂ〜９１ｆについては、第１編集部７２ａ又はウラワザ編集部７２ｂによる何らの編集も加えられなかったために、第２編集部７２ｃにより第２編集画像記録部７６ｂに記録されるフレーム画像から選択されたいずれかのフレーム画像Ｆ２を合成する編集が加えられている。このように編集のための制限時間が不十分であったなどのために、一部の写真画像については編集入力ができなかった場合や、編集方法が判らず全く編集入力ができなかった場合でも、第２編集部７２ｃにより合成されるフレーム画像によって、各写真画像を楽しく、魅力的なものにして、利用者に満足感を与えることができる。
【００８８】
また、第１編集部７２ａ又はウラワザ編集部７２ｂによる何らの編集も加えられなかった写真画像９１ｂ〜９１ｆには、編集確認部７５ａにより「つける」及び「はずす」のタグ９２ａ、９２ｂが付されており、このタグ９２ａ、９２ｂをタッチペン２４で操作することで、フレーム画像Ｆ２を個々に消去し、或いは一旦消去したフレーム画像Ｆ２を再度合成させることが可能であり、利用者は、フレーム画像Ｆ２の取り消しの選択を行ってから印刷したいと思う主要写真画像を選択することができる。
【００８９】
図１１（ｂ）は、図１１（ａ）の主要写真選択画面９０において、写真画像９１ｂ、９１ｃについてはフレーム画像Ｆ２を残し、写真画像９１ｄについてはフレーム画像Ｆ２の合成を取り消した上で、主要写真画像として写真画像９１ａ〜９１ｄが選択された状態を示している。
【００９０】
図示されるように、選択された写真画像９１ａ〜９１ｄには「ｃｈｏｉｃｅ」の文字が表示されており、また、写真画像９１ｂ〜９１ｄについては選択が行われたことによりタグ９２ａ、９２ｂが取り外され、写真画像９１ｄにおけるフレーム画像Ｆ２は消去されている。
【００９１】
主要写真選択画面９０において、画面左下のＯＫボタン９３が操作された場合、又は、残り時間のカウントダウン表示９４がゼロとなった場合には、その時点でにおいて「ｃｈｏｉｃｅ」の文字が表示されている写真画像が主要写真画像として選択され、また、その時点におけるタグ９２ａ、９２ｂの選択状況に従って、フレーム画像Ｆ２の合成を取り消しの有無が確定する。
【００９２】
図１２は、印刷画像選択部７５がタッチパネル式モニタ２３に表示させる例示的なおまけ写真選択画面９５を示している。
【００９３】
おまけ写真選択画面９５は、基本的には主要写真選択画面９０と同様の構成であり、表示される各写真画像９６ａ〜９６ｆをタッチペン２４でタッチすることで所定枚数（例えば４枚）を上限としておまけ写真画像が選択される。なお、ここでの写真画像９６ａ〜９６ｆは主要写真選択画面９０における写真画像９１ａ〜９１ｆと同一であるが、ここではフレーム画像Ｆ２の取り消しの選択は受け付けられないため、タグ９２ａ、９２ｂは表示されていない。
【００９４】
主要写真選択画面９０及びおまけ写真選択画面９５において選択されたおまけ写真画像はレイアウト部７７に送信される。
【００９５】
レイアウト部７７は、分割パターン選択画面９７及びレイアウト画面９８をタッチパネル式モニタ２３に表示させて利用者によるレイアウト設定の受け付けを実行する。
【００９６】
図１３は例示的な分割パターン選択画面９７の構成を、図１４は例示的なレイアウト画面９８の構成を示す説明図である。
【００９７】
図１３に示されるように、分割パターン選択画面９７では、複数のタブ９７ｔ及び各タブ９７ｔ毎に準備された複数の分割パターン９７ｐが表示されるようになっており、利用者は、タブ９７ｔを選択することで異なる種類の分割パターン９７ｐを分割パターン選択画面９７に表示させ、好みの分割パターン９７ｐをタッチペン２４で選択することができる。
【００９８】
図１４に示されるように、レイアウト画面９８では、レイアウト部７７が印刷画像選択部７５より受信した主要写真画像が縮小サイズで表示されるサムネイル部９８ａと分割パターン選択画面９７において選択された分割パターン９７ｐが表示されており、配置したい主要写真画像をサムネイル部９８ａからタッチペン２４で選択することで各主要写真画像のレイアウトが行われる。
【００９９】
なお、図１３において「記念分割」のタグ９７ｔを選択したときに表示される各分割パターン９７ｐは、いずれも、主要写真画像のための大サイズ分割領域９７Ｂ、小サイズ分割領域９７Ｓ及びおまけ写真画像のための小サイズ分割領域９７Ｏから構成されており、レイアウト画面９８におけるレイアウト操作では、大サイズ分割領域９７Ｂへの主要写真画像の配置の指定のみを受け付け、小サイズ分割領域９７Ｓについては、予め定められた所定の規則に従って自動的に主要写真画像の配置を行い、小サイズ分割領域９７Ｏついては、予め定められた所定の規則に従って自動的におまけ写真画像の配置を行うようにすることで、レイアウトの受け付けのための時間の短縮が図られている。
【０１００】
また、これらの分割パターン９７ｐは、１枚又は２枚の写真画像が大きいサイズの分割領域９７Ｂにレイアウトされ、小さいサイズの多数の分割領域９７Ｓ、９７Ｏに多数の写真画像がレイアウトされるため、大きいサイズの写真画像の部分をプレゼント用とし、残りの小さいサイズの写真画像の部分を一緒に撮影を行った利用者間で分けるなどの使い方が可能である。
【０１０１】
印刷部７８は、図１５に示されるような態様で、レイアウト部７７が受け付けたレイアウトに従って各主要写真画像９９ｍ、各おまけ写真画像９９ｏ及び管理コンピュータのメールアドレス９９ａを印刷して写真プリントを作成する。
【０１０２】
印刷部７８により作成された写真プリントは、写真排出口２６から払い出され、利用者はこの写真プリントのメールアドレス９９ａに宛てて利用者端末４からメールを送信することにより、管理コンピュータ３のメール送受信部６１からヒントメッセージが記載された返信メールを受信することが可能になる。
【０１０３】
以下、図１６に示すフローチャートに従って自動写真撮影装置２の動作を説明する。
【０１０４】
コイン処理装置５７から所定のコイン検知信号をＣＰＵ４８が受信した場合、タッチパネル式モニタ１３上において「撮影を始めるよ。撮影の後は、右のブースで落書きだよ」のようなプレイ説明の表示（ステップＳ１）が行われた後に写真撮影部７１が動作し、以下の撮影セッション（ステップＳ２〜Ｓ５）を実行する。
【０１０５】
撮影セッションに入ると、「空の写りモード」、「海の写りモード」及び「光の写りモード」などの撮影モードの選択肢をタッチパネル式モニタ１３に表示させ、利用者による撮影モードの選択を受け付ける（ステップＳ２）。
【０１０６】
続いて、写真撮影部７１は、カーテン制御装置５４にカーテンボックス３５からいずれかのカーテンを撮影視野内に展開させるための信号、或いは、全てのカーテンをカーテンボックス３５に収容させるための信号を送信して背景のセッティング（ステップＳ３）を行った後、照明装置１５ａ〜１５ｄ、３６、３７、４０を発光させた状態でＣＣＤカメラ１１を動作させ、１〜数枚程度の写真撮影（ステップＳ４）を実行する。
【０１０７】
ここで、ステップＳ３において展開されるカーテンやステップＳ４における照明装置１５ａ〜１５ｄ、３６、３７、４０の発光の態様は、ステップＳ２において選択された選択肢毎に予め定められており、この選択肢に応じてそれぞれ異なる雰囲気の下での写真撮影が行われる。
【０１０８】
また、カーテンボックス３５からいずれかのカーテンが展開されている場合には、利用者は撮影ブースの前方で写真撮影を行うことができ、この場合には、横棒部材１４、縦棒部材３８、横棒部材３９を用いて面白いポーズを取ることができる。
【０１０９】
カーテンボックス３５に全てのカーテンが収容されている場合には、利用者は撮影ブースの前方において、横棒部材１４、縦棒部材３８、横棒部材３９を用いて面白いポーズで写真撮影を行うことができ、或いは、撮影ブースの後方において、ジャングルジム構造体４３を用いて面白いポーズを取ることが可能である。また、図６に示すような態様で、４〜６人程度の利用者がジャングルジム構造体４３を利用して、一度に写真撮影を行うことも可能である。
【０１１０】
ステップＳ３及びＳ４の処理は所定回数繰り返して実行され、合計で例えば１０枚から１５枚程度の写真撮影が実行され、その後、タッチパネル式モニタ１３上に撮影された全ての写真画像が表示され、利用者がこれを指先でタッチすることで所定枚数（例えば６枚）の編集対象の写真画像が選択される（ステップＳ５）。なお、ここでは、例えば最大６枚の写真画像を選択することが可能となっている。
【０１１１】
撮影セッションが終了すると、「右の編集スペースに移動してね」などの利用者を第２筐体２０の両側面に設けられたいずれか一方の編集スペース２２ａ、２２ｂに誘導するためのインストラクションがスピーカー１６から出力された後、利用者を誘導した編集スペース２２ａ、２２ｂにおいて編集セッションが実行される。
【０１１２】
編集セッションでは、第１編集部７２ａが編集画面８０をタッチパネル式モニタ２３に表示させて編集の受け付け（ステップＳ６）を実行する。
【０１１３】
続いて、ウラワザ検知部７３によるキーワード入力の有無が判定（ステップＳ７）が実行され、ステップＳ７においてキーワード入力を検知した場合にはフラグ記録部７６ｅにおいて検知したキーワードに対応するウラワザフラグをオンにセットする（ステップＳ８）。
【０１１４】
続いて、ウラワザフラグの判定（ステップＳ９）が実行され、いずれかのウラワザフラグがオンにセットされていることを条件にウラワザ編集部７２ｂによる編集の受け付け（ステップＳ１０）が実行される。
【０１１５】
ステップＳ６〜Ｓ１０の処理は、編集セッションの制限時間の満了又は終了ボタン８８の操作が行われることによる終了条件が成立するまで繰り返して実行され、終了条件が成立している場合には、全てのウラワザフラグを解除する処理（ステップＳ１１）が実行された後、編集判定部７４が第１編集部７２ａ又はウラワザ編集部７２ｂによる編集がなされているか否かの判定（ステップＳ１２）を実行し、編集のなされていない写真画像については第２編集部７２ｃにより所定のフレーム画像を合成する編集（ステップＳ１３）が行われた後、印刷画像選択部７５による主要写真画像及びおまけ写真画像の選択の受け付け（ステップＳ１４）が実行される。
【０１１６】
その後、レイアウト部７７が起動し、分割パターン選択画面９７及びレイアウト画面９８をタッチパネル式モニタ２３に表示させてレイアウトの受け付け（ステップＳ１４）が実行され、最後に、印刷部７８が受け付けられたレイアウトに従って主要写真画像、おまけ写真画像及びメールアドレスを印刷して写真プリントを作成し、これが利用者に提供される。
【０１１７】
以上、例示的な実施形態に基づいて本発明を説明したが、本発明は上記実施形態により限定されるものではなく、特許請求の範囲の記載内において種々の変更、改変を行うことが可能である。
【０１１８】
例えば、上記の実施形態では、第２編集手段により実行される編集の内容がフレーム画像の合成であり、ウラワザ編集手段により実行される編集の内容がスタンプ画像、フレーム画像、文字画像などの画像の合成である場合を例として説明したが、第２編集手段又はウラワザ編集部により実行される編集の内容は任意であり、他の任意の態様の編集を実行するものとすることができる。
【０１１９】
また上記の実施形態では、ウラワザ編集部による編集が、キーワードの入力を条件に実行可能となる場合を例として説明したが、ウラワザ編集部による編集を可能化させるための条件は、キーワードの入力以外の自動写真撮影装置に対する任意の態様の操作の入力とすることができる。
【０１２０】
また上記の実施形態では、管理コンピュータがウラワザ操作記録部に記録されるキーワードを連想させるヒントメッセージを記載したメールを利用者端末に送信する場合について説明したが、このヒントメッセージの内容は、ウラワザ編集部による編集部による編集を可能化させるための操作に対応するものでさえあれば良く、例えばその操作を直接説明するメッセージとしても構わない。
【図面の簡単な説明】
【０１２１】
【図１】本発明の一実施形態に係る自動写真撮影装置を含む例示的な自動写真撮影システムの構成を示す説明図。
【図２】本発明の一実施形態に係る自動写真撮影装置の構成を示す斜視説明図。
【図３】本発明の一実施形態に係る自動写真撮影装置における第１筐体の正面図。
【図４】本発明の一実施形態に係る自動写真撮影装置におけるジャングルジム構造体の正面図。
【図５】ジャングルジム構造体の例示的な使用態様を示す説明図。
【図６】本発明の一実施形態に係る自動写真撮影装置のシステム構成を示す説明図。
【図７】本発明の一実施形態に係る自動写真撮影装置を含む自動写真撮影システムの機能構成を示す説明図。
【図８】編集画面の構成を示す説明図。
【図９】リソースウィンドの表示態様を示す説明図。
【図１０】リソースウィンドの表示態様を示す説明図。
【図１１】主要写真選択画面の構成を示す説明図。
【図１２】おまけ写真選択画面の構成を示す説明図。
【図１３】分割パターン選択画面の構成を示す説明図。
【図１４】レイアウト画面の構成を示す説明図。
【図１５】例示的な写真プリントの構成を示す説明図。
【図１６】本発明の一実施形態に係る自動写真撮影装置の動作を示すフローチャート。
【符号の説明】
【０１２２】
１・・・自動写真撮影システム、２・・・自動写真撮影装置、３・・・管理コンピュータ、４・・・利用者端末、５・・・通信網、１０・・・筐体、１１・・・カメラ、１２・・・液晶モニタ、１３・・・タッチパネル式モニタ、１４・・・横棒部材、１５ａ〜１５ｄ・・・照明装置、１６・・・スピーカー、１７・・・コイン投入口、２０・・・筐体、２１ａ、２１ｂ・・・第２筐体側面、２２ａ、２２ｂ・・・編集スペース、２３・・・タッチパネル式モニタ、２４・・・タッチペン、２５・・・フレーム、２６・・・写真排出口、３０・・・撮影ブース、３１ａ、３１ｂ・・・撮影ブース側壁、３２・・・天井部、３３・・・フレーム、３４・・・出入口、３５・・・カーテンボックス、３６、３７、４０・・・照明装置、３８・・・縦棒部材、３９・・・横棒部材、４３・・・ジャングルジム構造体、４６・・・パーソナルコンピュータ、４７・・・バス、４８・・・ＣＰＵ、４９・・・ＲＯＭ、５０・・・ＲＡＭ、５１・・・インターフェース、５２・・・ハードディスク、５３・・・ＣＤ−ＲＯＭドライブ、５４・・・カーテン制御装置、５５・・・照明制御装置、５６・・・音響制御装置、５７・・・コイン処理装置、５８・・・プリンター、６１・・・メール送受信部、６２・・・メール記録部、６２ａ・・・アドレス記録部、６２ｂ・・・ヒント記録部、６２ｃ・・・スケジュール部、６３・・・メール送受信部、７１・・・写真撮影部、７２ａ・・・第１編集部、７２ｂ・・・ウラワザ編集部、７２ｃ・・・第２編集部、７３・・・ウラワザ検知部、７４・・・編集判定部、７５・・・印刷画像選択部、７５ａ・・・編集確認部、７６ａ・・・第１編集画像記録部、７６ｃ・・・第２編集画像記録部、７６ｂ・・・ウラワザ画像記録部、７６ｄ・・・ウラワザ操作記録部、７７・・・レイアウト部、７８・・・印刷部、８０・・・編集画面、９０・・・主要写真選択画面、９５・・・写真選択画面、９７・・・分割パターン選択画面、９８・・・レイアウト画面
【図１】
2006345325.tif 000004
【図２】
2006345325.tif 000005
【図３】
2006345325.tif 000006
【図４】
2006345325.tif 000007
【図５】
2006345325.tif 000008
【図６】
2006345325.tif 000009
【図７】
2006345325.tif 000010
【図８】
2006345325.tif 000011
【図９】
2006345325.tif 000012
【図１０】
2006345325.tif 000013
【図１１】
2006345325.tif 000014
【図１２】
2006345325.tif 000015
【図１３】
2006345325.tif 000016
【図１４】
2006345325.tif 000017
【図１５】
2006345325.tif 000018
【図１６】
2006345325.tif 000019